(57)【特許請求の範囲】
【請求項１】
コイン払出し開始スイッチ部(＃４)と、コイン収納部(＃５)に収納していたコインを払い出すためのコイン払出し部(＃７)と、コイン払出し開始スイッチ部(＃４)の押動により、コイン払出し部(＃７)にコイン払出しの指令を出す払出し制御部(＃６)と、コイン払出し開始スイッチ部(＃４)の押動を無効にするコイン払出し禁止時間帯を設定するための設定部(＃１)と、を備え、販売制御を司る主制御部(＃２)は、コイン払出し禁止時間帯にあっては、コイン払出し開始スイッチ部(＃４)による押動動作を無効にすると共に、商品選択釦または返却レバーによる操作があれば、前記押動動作を有効にすることを特徴とする自動販売機。
【発明の詳細な説明】
【０００１】
【発明の属する技術分野】
本発明は、コインの盗難防止機能を備えた自動販売機に関する。
【０００２】
【従来の技術】
従来の自動販売機においては、前面扉の内側にコインの払出し等を行うコイン払出し制御部が設けられており、そのコイン払出し制御部にあるコイン払出し開始スイッチを操作することにより、そこに収納されていた売上のコインがすべて回収されるようになっている。従って、その扉がこじあけられると、コインが簡単に盗み出されるため、盗難防止のために、扉をこじあけた場合には、警報ブザーが鳴動するとともに、コイン払出し開始スイッチの操作が無効になるような措置が施されている。
【０００３】
【発明が解決しようとする課題】
しかしながら、扉を閉じたままで前述のスイッチを操作した場合は、前述の盗難防止は役に立たない。例えば、扉に小さな穴をドリルであけて、そこから針金などを使ってコイン払出し開始スイッチを操作したような場合には、コインがすべて盗まれてしまう。このような手口によるコインの盗難が近年続発している。
【０００４】
従って本発明は、このようなコイン盗難を防止できる自動販売機を提供することを目的とする。
【０００５】
【課題を解決するための手段】
夜間など人通りが少ない時間帯、自動販売機を管理、運営する人がいない時間帯、あるいは以前盗難にあった時間帯に、払出し開始スイッチ部の機能を無効にするが、商品選択釦または返却レバーによる操作があれば、前記押動動作を有効にする。
【０００６】
【作用】
コインの盗難は上述したような時間帯に発生し、その時間帯に自動販売機の扉を閉じたままで払出し開始スイッチ部を押動しても、そのスイッチ操作は無効となるためコインの払出しは行われず盗難を防止できる。尚、コイン払出し禁止時間帯に自動販売機を扱う場合であっても特殊な操作を行うことにより、コイン払出しの禁止が解除されるので不都合はない。
【０００７】
【発明の実施の形態】
図１は、本発明の１実施形態を示した自動販売機内部の概略図である。＃１は、キーボード部であり、このキーボード部＃１より設定した払出し禁止時間帯のデータや種々の販売データは主制御部＃２に取り込まれる。この主制御部＃２は本自動販売機を集中制御する。＃４がコイン払出し開始スイッチ部であり、コイン払出し制御部＃６の前面に取り付けられている。＃７は、コイン払出し部であり、コイン払出し制御部＃６よりの払出し信号により、コイン収納部(図１では不図示)に収納のコインを連続的に払い出す。これらの各要素＃１〜＃６は自動販売機の前面扉Ｄの内側に設けられている。
【０００８】
図２は上記自動販売機の制御ブロック図２であり、図１と同一の要素には共通の符号を付している。主制御部＃２は時刻を計時する時計部＃３を内部に持つ。＃５が商品販売による投入コインを硬貨の種類別に収納するコイン収納部であり、払出し制御部＃６に位置する。＃８は扉Ｄの外側に設けたコイン返却口であり、コイン払出し部＃７によって払い出されたコインはこのコイン返却口＃８に導かれる。
【０００９】
以下、本自動販売機の制御動作を図３のフローチャートに従って説明する。ステップＳ１にて自動販売機の電源を投入した後、ステップＳ２にてキーボード部＃１により、払出し禁止時間帯の開始時刻と終了時刻を入力する。ステップＳ３ではコイン払出し禁止時間帯の設定がされたか否かが判定される。その設定がない場合ステップＳ３に戻り、設定を待つ。
【００１０】
さて、コイン払出し禁止時間帯が設定された場合、ステップＳ３からステップＳ４に進み、時計部＃３の計時時刻から払出し禁止時間帯の開始時刻を経過したかが判定され、その開示時刻に至っていない場合はステップＳ８に進むが、その開始時刻を経過した場合は、ステップＳ５にて、コイン払出し開始スイッチ部＃４の押動によるコイン払出し動作が禁止される。次のステップＳ６では、コイン払出し開始スイッチ部＃４による操作を有効にするための特殊な操作がキーボード部＃１からなされたかが判定される。その操作がされていない場合はステップＳ７に進み、払出し禁止時間帯の終了時間が経過したかが判定される。その終了時間を経過していない場合、つまり、現時刻が払出し禁止時間帯に入っているときはステップＳ５に戻ることにより、コイン払出し動作の禁止が継続される。従ってこの間、扉Ｄを閉じたままでなんらかの手口でコイン払出し開始スイッチ部＃４を操作してもコインの払出しは行われない。尚、扉Ｄをこじあけてコイン払出し開始スイッチ部＃４を操作してもコインの払い出しは行われないが、警報不図示の盗難防止用のブザーが大きく鳴動する。
【００１１】
一方、前記終了時間を経過した場合はステップＳ８に進み、コイン払出し開始スイッチ部＃４による押動動作が有効にされるので、当該自動販売機を管理する人がコイン払出し禁止時間帯以外の時間帯に扉Ｄを開放して、コイン払出し開始スイッチ部＃４を操作すれば、コイン収納部＃５に収納されていたコインがコイン返却口＃８に回収される。
【００１２】
コイン払出し開始スイッチ部＃４による操作を有効にするための特殊な操作が行われていた場合はステップＳ６からステップＳ８に進むことにより、コイン払出し禁止時間帯にあってもコイン払出し開始スイッチ部＃４の操作が有効にされる。
【００１３】
前述の特殊な操作としては、既存のスイッチ類、例えば(1)商品選択釦、(2)返却レバー、(3)電源スイッチ、(4)扉スイッチの単独操作、その単独操作の繰り返し、あるいは、複数のスイッチの組み合わせが実行されたときとすることができるが、本発明では、商品選択釦または返却レバーを動作させることにより、コイン払出し開始スイッチ部＃４による押動動作を有効にしている。専用の解除スイッチを設けるのと違ってこの手法であれば部外者に見破られて操作される心配はない。
【００１４】
【発明の効果】
以上説明したように、本発明は、コインの盗難が発生する時間帯にコイン払出し開始スイッチ部の機能を無効にできるようにしたので、自動販売機の扉を閉じたままで払出し開始スイッチ部を押動しても、そのスイッチ操作は無効となるためコインの払出しは行われず盗難を防止できる。尚、コイン払出し禁止時間帯に自動販売機を扱う場合であっても特殊な操作を行うことにより、コイン払出しの禁止が解除されるので不都合はない。
【図面の簡単な説明】
【図１】  本発明の自動販売機の１実施形態を示した内部概略図
【図２】  図１の自動販売機の制御ブロック図
【図３】  図１の自動販売機の制御動作を示したフローチャート
【符号の説明】
＃１  キーボード部
＃２  主制御部
＃３  時計部
＃４  コイン払出し開始スイッチ部
＃５  コイン収納部
＃６  コイン払出し制御部
＃７  コイン払出し部
＃８  コイン返却口
【図１】
0003695091.tif 000002
【図２】
0003695091.tif 000003
【図３】
0003695091.tif 000004